(57)【要約】【課題】  土砂だまりに停滞する雨水を排出することのできる排水フィルタを提供する。【解決手段】  街渠ますの底部を開口し、この開口を貫通する浸透管ＷＰを地中に配設してなる雨水浸透構造体に使用する排水フィルタである。排水フィルタは、浸透管の上端に装着され、側壁の複数個所に浸透孔４が穿設された筒状の本体部１と、本体部の内部に配置されるフィルタ材２と、フィルタ材を支持しつつ本体部に着脱可能に設けられるフィルタ支持部３と、フィルタ材を貫通する通気部材５とを備えたことを特徴とする【選択図】  図１
2013049998.tif 000002
【特許請求の範囲】
【請求項１】
街渠ますの底部を開口し、この開口を貫通する浸透管を地中に配設してなる雨水浸透構造体において、
上記浸透管の上端に装着され、側壁の複数個所に浸透孔が穿設された筒状の本体部と、この本体部の内部に配置されるフィルタ材と、このフィルタ材を支持しつつ上記本体部に着脱可能に設けられるフィルタ支持部と、上記フィルタ材を貫通する通気部材とを備えたことを特徴とする雨水浸透管用排水フィルタ。
【請求項２】
前記本体部は、所定の長さ寸法を有し、前記浸透管の上端縁から延出するように装着される本体部であることを特徴とする請求項１に記載の雨水浸透管用排水フィルタ。
【請求項３】
前記フィルタ支持部は、通水可能な底部および天板部を備え、該底部および該天板部の中間に前記フィルタ材を保持するフィルタ支持部であり、前記通気部材は、上記底部および天板部を連結しつつ上記フィルタ材を貫通する通気部材であることを特徴とする請求項１または２に記載の雨水浸透管用排水フィルタ。
【請求項４】
前記本体部は、下部に浸透管連結部を有し、上部に天板部保持部を有する本体部である請求項３に記載の雨水浸透管用排水フィルタ。
【請求項５】
下水管が接続される街渠ますの底部を開口し、この開口を貫通する浸透管を地中に配設してなる雨水浸透構造体において、
上記浸透管の上端に装着され、側壁の複数個所に浸透孔が穿設された筒状の本体部と、この本体部の内部に配置されるフィルタ材と、このフィルタ材を支持しつつ上記本体部に着脱可能に設けられるフィルタ支持部と、上記フィルタ材を貫通しつつフィルタ支持部によって支持される通気部材とを備え、
上記フィルタ支持部は、通水可能な底部および天板部を備え、該底部および該天板部の中間に上記フィルタ材を保持するフィルタ支持部であり、
上記通気部材は、上記底部から突出する下部突出領域と、上記天板部から突出する上部突出領域と、上記フィルタ材を貫通しつつ上記底部および上記天板部を連結する中間領域とに区分されてなる通気部材であることを特徴とする雨水浸透管用排水フィルタ。
【請求項６】
前記通気部材は、前記上部突出領域の上端が前記街渠ますに接続される下水管の開口部よりも上位となる長さで構成されている通気部材であることを特徴とする請求項５に記載の雨水浸透管用排水フィルタ。
【請求項７】
前記天板部は、前記浸透孔よりも大径の浸透用貫通孔が複数穿設されている天板部であることを特徴とする請求項３ないし６のいずれかに記載の雨水浸透管用排水フィルタ。
【発明の詳細な説明】
【技術分野】
【０００１】
本発明は、街渠ます（集水ます）の底部を開口し、この開口を貫通する浸透管を地中に配設してなる雨水浸透管に使用される排水フィルタに関し、特に、雨水浸透管の上端に設置する排水フィルタに関するものである。
【背景技術】
【０００２】
近年いわゆるゲリラ豪雨と呼ばれる集中豪雨により、下水管の処理能力を超える量の降雨があった場合には、路面に雨水が溜まり、これが河川に流入するときには河川の氾濫を招き、また、標高の低い地域に流入するときには床上浸水などの被害を生じさせることとなっていた。そこで、街渠ますに流入する雨水を効果的に地中に浸透させることができる構造体が切望されているところであるが、本願の出願人らは、街渠ますの底部から浸透性を有する地盤に至る範囲に浸透管を設置するための掘削装置を提案し、また、市街地における街渠ますから雨水を地中に浸透させることのできる雨水浸透構造体をも提案した（特許文献１参照）。
【０００３】
上記の雨水浸透構造体は、地中に配設した浸透管の内部にフィルタ材を充填する構成であり、街渠ますから流下する雨水が地中に浸透する際、雨水に含まれる油や金属類を除去することができるものであった。
【０００４】
しかし、雨水が街渠ますに流入する際には、路面に存在する土砂等をも含むことから、一般的な街渠ますは、土砂だまり（泥溜め部ともいう）と称するトラップ構造が採用され、街渠ますに流入する上澄み水を排出するように構成されていた。さらに、上記トラップを超えて浸透管に流入する雨水には、砂やゴミなどが含まれていることから、浸透管の上端の開口部にフィルタが設けられていた（特許文献２参照）。
【先行技術文献】
【特許文献】
【０００５】
【特許文献１】特許第４４６５０２９号公報
【特許文献２】特開２００６−１３８１９７号公報（７ページ、図３）
【発明の概要】
【発明が解決しようとする課題】
【０００６】
前掲の特許文献２に開示されるフィルタは、網目状に形成されたフィルタ枠と、このフィルタ枠内に配置される細目フィルタとで構成され、フィルタ枠は大きなゴミの流入を防ぎ、細目フィルタは雨水に含まれる固形物（砂利や砂等）の流入を防ぐように構成されたものである。
【０００７】
しかしながら、土砂だまりを有する街渠ますは、多量の雨水が流入して、水位が一定の高さ（浸透管開口部の高さ）を超えるとき、浸透管の上端開口部から雨水が流入するものであり、街渠ますに流入した雨水の水位が低い場合には街渠ます内に停滞することとなるものであった。そのため、土砂だまりに停滞する雨水が長期間溜まった状態となり、これが蚊の発生源となっていた。また、土砂だまりに土砂が堆積している場合には、堆積する土砂の内部に雨水が浸透し、この浸透水が蒸発できず、堆積土砂の表面付近は乾燥しているとしても、内部には浸透水が長期間停滞することとなっていた。このような状態においてもやはり蚊の発生源となっていた。
【０００８】
本発明は、上記諸点にかんがみてなされたものであって、その目的とするところは、土砂だまりに停滞する雨水を排出することのできる排水フィルタを提供することである。
【課題を解決するための手段】
【０００９】
そこで、本発明は、街渠ますの底部を開口し、この開口を貫通する浸透管を地中に配設してなる雨水浸透構造体において、上記浸透管の上端に装着され、側壁の複数個所に浸透孔が穿設された筒状の本体部と、この本体部の内部に配置されるフィルタ材と、このフィルタ材を支持しつつ上記本体部に着脱可能に設けられるフィルタ支持部と、上記フィルタ材を貫通する通気部材とを備えたことを特徴とするものである。
【００１０】
上記構成によれば、街渠ますに流入した雨水は、浸透管に接続される本体部の上端を超える水位となるとき、本体部の上部開口部から本体部の内部に流入し、フィルタ材を経由して浸透管により排水されることとなる。このとき、本体部の上部開口部から大量の雨水が流入することとなるが、フィルタ材を貫通する通気部材によって、フィルタ材よりも下方の空気を上方に排出することが可能となる。特に、集中豪雨による排水時においては、本体部を流下する雨水の量が多く、フィルタ材を大量の雨水が通過する際、フィルタ材よりも下方の空気の逃げ場がなくなり、結果的に、大量の雨水が浸透管に流下できない可能性もあったが、フィルタ材よりも下位の空気が通気部材を経由して上方に排出できれば、浸透管への流下を円滑にすることができる。また、街渠ますに流入した雨水の水位が本体部の上端よりも下位である場合には、本体部の側壁に浸透孔からフィルタ材を経由して浸透管に雨水を流入させることができる。従って、本体部が浸透管に接続されることによって、街渠ますの底部にトラップ構造を形成して土砂だまりを設けることができるとともに、この土砂だまりに堆積する土砂に浸透する雨水を本体部から浸透管に排出させることができる。
【００１１】
上記発明において、前記本体部は、所定の長さ寸法を有し、前記浸透管の上端縁から延出するように装着されるように構成することができる。
【００１２】
上記構成によれば、浸透管の上端開口部の位置は、本体部の上端の位置が実質的な開口位置となり、街渠ますに流入した雨水の水位が上記開口位置に到達するとき、浸透管に雨水が流入することとなり、トラップ構造（土砂だまり）による土砂等の貯留量を本体部の長さによって調整することができる。なお、この場合、浸透管本体の上端開口部（現実の開口位置）は、街渠ますの底面付近に位置することとなる。
【００１３】
上記各発明において、前記フィルタ支持部は、通水可能な底部および天板部を備え、該底部および該天板部の中間に前記フィルタ材を保持するフィルタ支持部であり、前記通気部材は、上記底部および天板部を連結しつつ上記フィルタ材を貫通する通気部材であるように構成することができる。
【００１４】
上記構成によれば、フィルタ支持部によって支持されるフィルタ材は、底部と天板部の中間に保持されることから、フィルタ支持部のうち底部または天板部を取り外すことによってフィルタ材の着脱を可能にすることができる。また、通気部材は底部と天板部とを連結するように設けられていることから、通気部材がフィルタ支持部の支柱としての機能を有する構成となり、これらを一体として本体部に装着することができる。
【００１５】
上記各発明において、前記本体部は、下部に浸透管連結部を有し、上部に天板部保持部を有する本体部とすることができる。
【００１６】
上記構成によれば、筒状の本体部のうち、下部は専ら浸透管との連結のための構成部として機能し、上部は専ら天板部を保持するための構成部として機能させることができる。これにより、本体部は、下部の浸透管連結部が浸透管に連結して、当該浸透管によって支持される状態となり、また、上部においてフィルタ支持部の天板部が支持されることから、この天板部と通気部材とで連結される底部、および、天板部と底部とにより保持されるフィルタ材は、天板部とともに本体部の上部（天板部保持部）に支持されることとなる。従って、フィルタ材は、本体部の内部に保持され得ることとなる。
【００１７】
また、本発明は、下水管が接続される街渠ますの底部を開口し、この開口を貫通する浸透管を地中に配設してなる雨水浸透構造体において、上記浸透管の上端に装着され、側壁の複数個所に浸透孔が穿設された筒状の本体部と、この本体部の内部に配置されるフィルタ材と、このフィルタ材を支持しつつ上記本体部に着脱可能に設けられるフィルタ支持部と、上記フィルタ材を貫通しつつフィルタ支持部によって支持される通気部材とを備え、上記フィルタ支持部は、通水可能な底部および天板部を備え、該底部および該天板部の中間に上記フィルタ材を保持するフィルタ支持部であり、上記通気部材は、上記底部から突出する下部突出領域と、上記天板部から突出する上部突出領域と、上記フィルタ材を貫通しつつ上記底部および上記天板部を連結する中間領域とに区分されてなる通気部材であることを特徴とする。
【００１８】
上記構成によれば、浸透管の上端に装着される本体部の内部には、フィルタ支持部によって支持されるフィルタ材が設置されることとなる。従って、本体部の上部開口部から流入する雨水も、本体部側壁の浸透孔から流入する雨水も、フィルタ材を通過した後に浸透管に流入させることができる。また、通気部材は、フィルタ材の下方から上方までを通気可能となるため、本体部の内部を雨水が通過する際、本体部下方の空気を街渠ますの内部に移動させることができ、いわゆる空気抜きによって、本体部内の雨水の流下を容易にするものである。
【００１９】
上記発明において、前記通気部材は、前記上部突出領域の上端が前記街渠ますに接続される下水管の開口部よりも上位となる長さで構成されている構成とすることができる。
【００２０】
上記構成によれば、街渠ますには下水管が接続され、街渠ますに流入した雨水の水位が下水管の開口部よりも上位となる場合に下水管に流入することとなるが、この水位が下水管の開口部よりも下位である場合は、街渠ますに貯留されることとなる。従って、通気部材の上端が下水管の開口部よりも下位である場合は、浸透管内の空気を十分に抜くことができないが、開口部よりも上位であれば、下水管に流入しない程度の雨水の流入の際には、これを迅速に浸透管に流入させることができる。
【００２１】
上記各発明において、前記天板部は、前記浸透孔よりも大径の浸透用貫通孔が複数穿設されている構成とすることができる。
【００２２】
上記構成によれば、天板部すなわち本体部の上部開口部から流入する雨水は、本体部側壁の浸透孔から流入する雨水よりも多量となり、土砂だまりを超える量の雨水が街渠ますに流入したとき、その雨水を迅速に排水させることが可能となる。また、このとき、フィルタ材を貫通する通気部材によってフィルタ材よりも下部の空気が本体部外方に排出されるため、その流入を促進することができる。
【発明の効果】
【００２３】
本発明によれば、街渠ますに流入した雨水は、当該街渠ますの底面付近において、本体部に設けられた浸透孔を通過することから、トラップが形成されることによって土砂だまりを構成する街渠ますにおいても、当該土砂だまりに停滞する雨水は、この本体部の浸透孔から雨水浸透管に排出することができる。このとき、本体部の内部に配置するフィルタ材を雨水が通過することにより、当該雨水を濾過しつつ浸透管に排水することとなるのである。
【００２４】
そして、土砂だまりに土砂が堆積している場合においても、当該土砂に浸透している雨水は、堆積土砂の下位に停滞することとなり、当該下位の堆積土砂の粒間を移動した雨水を浸透孔から排出できるのである。
【００２５】
このように、街渠ますの土砂だまりに停滞する雨水を排出することにより、蚊の発生源を減少させることとなり、快適な生活環境を提供することができるという効果をも奏するものである。
【００２６】
他方、通気部材がフィルタ材を貫通して設けられていることから、フィルタ材下部と本体部上方との間で通気可能となり、大量の雨水が本体部に流入した際であっても、フィルタ材下部に停滞する空気を外部に抜き取ることができ、雨水の流下を促進させることができる。
【図面の簡単な説明】
【００２７】
【図１】本発明の実施形態を示す分解斜視図である。
【図２】実施形態の各部材を一体化した状態の断面図である。
【図３】実施形態を雨水浸透管に設置した状態を示す断面図である。
【図４】実施形態の使用状態を示す説明図である。
【図５】実施形態の使用状態を示す説明図である。
【図６】他の実施形態を示す分解斜視図である。
【発明を実施するための形態】
【００２８】
以下、本発明の実施の形態を図面に基づいて説明する。図１は、本発明の実施形態を示す分解斜視図である。この図に示すように、本実施形態は、雨水浸透管（以下、浸透管という）ＷＰの上端に接続することができる本体部１と、この内部に配置されるフィルタ材２と、このフィルタ材２を支持するフィルタ支持部３とで構成されている。
【００２９】
本体部１は、大別すると下部１１と、胴部１２と、上端部１３とに区分されている。下部１１は、円筒状の浸透管ＷＰとの連結を可能にするために、概略円筒状に形成され、その内径は、浸透管ＷＰの外径とほぼ同径にされている。この下部１１が浸透管ＷＰの先端付近を包囲するように、浸透管ＷＰの外側表面に下部１１の内側表面を密着させることによって、下部１１が浸透管ＷＰに連結することとなる。そこで、以下において、この下部１１を浸透管連結部と称する。
【００３０】
胴部１２は、浸透管連結部１１よりも径を大きくする円筒状に形成され、軸線方向に所定の長さ寸法を有するように構成されている。さらに、胴部１２の側壁には、当該胴部１２の軸線方向に沿って整列させた複数の貫通孔（これを浸透孔という）４が穿設されている。このように整列させた浸透孔４の集合体（浸透孔群）４０は、胴部１２の全周にわたって設けられており、各浸透孔群４０は周方向に所定間隔を有している。このように、浸透孔群４０が胴部１２の軸線方向に整列される複数の浸透孔４によって構成されることにより、胴部１２の軸線方向の下位から上位に至る範囲で雨水を浸透させることができるようになっている。なお、胴部１２は、浸透管連結部１１と同径で構成してもよいが、内部にフィルタ材２が配置されることから、流量を大きくするために径を大きくしている。そのため、浸透管連結部１１との境界部分をテーパ状とし、異なる径の筒状部材が連続するように構成している。
【００３１】
本体部１の上端部１３は、胴部１２に連続して開口部が形成され、この開口部にフィルタ支持部３を装着できるようになっている。フィルタ保持部３を構成する天板部３１が、上端部１３の開口を閉塞する蓋のように装着できるようになっており、上端部１３を天板部保持部として機能させているのである。そして、この上端部（天板部保持部）１３によって保持される天板部３１が、底部３２と接続することによって、両者がともに当該上端部１３によって支持されるものである。
【００３２】
フィルタ材２は、繊維質または多孔質材料などを成形することによって構成され、本体部１の内部に配置できる形状に成形されている。ここで使用される材料は、街渠ます内の土砂が混入しない程度に濾過できればよく、そのために、粗目の濾過材が使用される。なお、フィルタ材２の中央には、貫通孔２１が設けられており、後述の通気部材５が挿通できるように構成されている。
【００３３】
フィルタ支持部３は、上述のとおり、天板部３１および底部３２で構成されるものであって、この両者間にフィルタ材２が保持されるものである。天板部３１と底部３２のそれぞれには、中央付近に貫通孔３３，３４が穿設されており、この貫通孔３３，３４に挿通される通気部材５によって、両者を一体的に形成されている。すなわち、天板部３１と底部３２とは独立した個別の部材で構成され、これを通気部材５が連結しているのである。
【００３４】
ここで、通気部材５は、専ら直線状のパイプ５１によって構成され、天板部３１、フィルタ材２および底部３２を同時に貫通するものである。このパイプ５１の適宜位置には、大径の管体（第一の管体）５２が装着され、天板部３１の装着位置を決定させる位置決め部材として機能させている。また、上記パイプ５１の下部先端にも大径の管体（第二の管体）５３を接続可能になっており、底部３２の下降防止のためのストッパとして機能させている。従って、フィルタ支持部３を構成する天板部３１および底部３２は、上記第一の管体５２と第二の管体５３との間で所定の間隔を有して配置されることとなり、この両者の中間にフィルタ材２を配置することにより、当該フィルタ材２が天板部３１と底部３２とで挟持されるように構成しているのである。
【００３５】
なお、上記パイプ５１に装着される第一および第二の管体５２，５３は、接着剤等によって貼着してもよいが、少なくとも第二の管体５３を例えば螺着することにより、着脱可能に設けることができ、これによって、底部３２およびフィルタ材２を通気部材５から取り外すことが可能となる。この取り外し可能な構成とすることによって、フィルタ材２を交換することができるものとなる。
【００３６】
また、パイプ５１は、天板部３１から上方に所定の長さで突出するように（すなわち、第一の管体５２から所定長さを有して）設けられており、天板部３１の上部と底部３２の下部との間で空気を移動させることができるようになっている。なお、パイプ５１の上端は、通気のために開口されるものであるが、直線状のパイプ５１をそのまま開口させる態様のほか、図示のように、二股状に分岐させることができるＴ型管（いわゆるチーズ）５４を設ける構成としてもよい。このように、チーズ５４を設ける構成の場合には、パイプ５１の上端からゴミ等の混入を抑制することができる。また、本実施形態では、パイプ５１は連続した１本で構成しているが、第一の管体５２を管継ぎ手によって構成することにより、内部空間を連続させつつ二本のパイプによって形成させることも可能となる。この場合、使用される街渠ますの大きさ等に応じて、天板部３１から上方に突出する長さを適宜変更することも可能となる。
【００３７】
このように、フィルタ支持部３は通気部材５によって連結され、一体化されるものであるが、このフィルタ支持部３は、雨水を流下させるために通水可能でなければならない。そこで、上述の天板部３１および底部３２は、図示のように、天板部３１には大きい貫通孔３５を複数穿設し、他方、底部３２は、中央から４枚の板状部材３６，３７，３８，３９を突出させ、十字状に形成するように設ける形態としてもよい。なお、天板部３１および底部３２は通水可能となっていれば、その形状・構造はいかなるものであってもよい。
【００３８】
また、天板部３１は、本体部１に装着できる構成であればよく、例えば、図示のように、天板部３１の側壁部は、本体部１の上端部１３と同径部分３０Ａと、上端部１３の内部に嵌入できる小径部分３０Ｂとで構成することができる。このような構成により、小径部分３０Ｂを本体部１の内部に挿入しつつ、同径部分３０Ａを上端部１３の端縁に当接させることで、本体部１に装着させることができる。なお、このような装着方法のほかに、上端部１３よりも大径となる部分を設け、当該上端部１３を被覆できるように構成してもよい。
【００３９】
上記構成の本実施形態について、各部材を連結した状態を図２に示す。この図に示すように、フィルタ支持部３を構成する天板部３１は、本体部１の上端に装着され、フィルタ材２は、天板部３１と底部３２の中間に配置され、底部３２は、パイプ５１の先端の管体５３によって下降を制限されつつ支持された状態となっている。この状態により、フィルタ材２は、フィルタ支持部３（天板部３１および底部３２）によって支持され、このフィルタ材２を含むフィルタ支持部３は、本体部１の上端に支持されることとなる。
【００４０】
従って、フィルタ支持部３を構成する天板部３１および底部３２と、これに支持されるフィルタ材２を、本体部１から下向きに落下することなく、当該本体部１の内部に装着させることができるのである。
【００４１】
さらに、パイプ５１は、フィルタ材２を貫通しつつ、フィルタ材２の上方に突出するように配置され、その上端が開口されている。従って、フィルタ材２の下方と、フィルタ材２の上方との間で通気可能になっている。これにより、本体部１の内部を（フィルタ材２を通過して）雨水が流下する際、フィルタ材２の下部に存在する空気を本体部１の外部に排出することができる。
【００４２】
そこで、図３に示すように、パイプ５１の下端の位置を本体部１の内部とすることにより、浸透管ＷＰの上端付近に配置させることができる。これにより、本体部１および浸透管ＷＰの内部から空気を抜き取ることができるのである。つまり、筒状の本体部１または浸透管ＷＰに空気が存在する状態において、雨水が流入する際には、雨水と入れ替わりに空気が水の間隙から排出されるが、大量の水が流入する場合には水に間隙が生じず、空気が抜けないことによって水が流入しないことがある。また、フィルタ材２の全体に水が浸透し、空気が移動できない場合も同様に、空気が抜けずに水が流下しないことがある。そこで、上記空気が最も溜まりやすいフィルタ材２の直下に開口するパイプ５１を配置させることによって、本体部１または浸透管ＷＰの内部の空気を外方に排出させることが可能となるのである。
【００４３】
本実施形態は、上記のような構成であるから、図４に示すように、浸透管ＷＰに装着された本体部１は、当該浸透管ＷＰを延長するような状態となり、管体（浸透管ＷＰと本体部１とが一体化した全体）の開口の位置が浸透管ＷＰの上端よりも上方に位置することとなる。なお、浸透管ＷＰと本体部１との装着は、本体部１の浸透管連結部１１の内側に浸透管ＷＰを挿入することによって可能であるが、本体部１を強固に装着するためには、両者の当接面を接着剤等により接着すればよい。
【００４４】
そして、本体部１を街渠ますＸに設けられる浸透管ＷＰの上端に設置した場合、土砂だまりを有する街渠ます構造とすることができる。すなわち、図示のように、街渠ますＸの底面を開口し、そこに設置される浸透管ＷＰの上端は、当該街渠ますＸの底面付近に位置しているが、その街渠ますＸの上端縁に上記実施形態（排水フィルタＦ）を接続することにより、当該浸透管ＷＰは上方に延長された状態となり、その開口端は、街渠ますＸの底面から所定の高さＨ１に位置することとなる。従って、街渠ますＸに流入する雨水の水位が所定高さＨ１を超えるとき、排水フィルタＦの上端開口部（天板部３１に設けた貫通孔）から浸透管ＷＰに排水されることとなるのである。これとは逆に、雨水の水位が所定高さＨ１よりも低い場合には、排水フィルタＦの上端開口部から排水されることがない（浸透孔４からの流入はあり得るが、ここでは考慮しないものとする）。このように、排水フィルタＦが装着されることによってトラップが形成されるのであり、このトラップ構造によって、土砂だまりが構成されるのである。
【００４５】
ところで、一般的な街渠ますＸには、下水道管ＵＰが接続されており、街渠ますＸに流入した雨水を下水に合流させる構造となっている。この下水道管ＵＰは、街渠ますＸの底面から所定の高さＨ２の位置で開口するように接続されており、この高さによっても土砂だまりが構成されるものである。従って、浸透管ＷＰを設置しない場合であっても、一般的な街渠ますＸには、土砂だまりが構成されているのであり、この土砂だまりは、下水道管ＵＰに土砂が流入することを抑制しているのである。このように、街渠ますＸには土砂だまりを構成することが一般的であり、浸透管ＷＰを設置する場合においても、土砂だまりを構成して土砂の流出を抑制することが要求されているのである。
【００４６】
ここで、図５に示すような使用形態では、排水フィルタＦの上端の高さＨ１よりも下水道管ＵＰの開口が上位に設けられている。これは、いわゆるベースカット方式とするものであり、排水フィルタＦの上端の高さを超える水位において、先に浸透管ＷＰに排水されるが、浸透管ＷＰへの排水量よりも多量の雨水が街渠ますＸに流入し、その水位が上昇するとき、下水道管ＵＰにも排水される構成である。この図に示す形態のほかに、いわゆるピークカット方式とする場合には、排水フィルタＦの開口高さＨ１よりも下水道管ＵＰの開口高さＨ２を低くするように調整するのである。そのための高さ調整は、本体部１の胴部１２の長さを変更することによって容易に対応させることが可能である。
【００４７】
なお、このように、両者の高さＨ１，Ｈ２のうち一方を他方と異ならせることにより、浸透管ＷＰまたは下水道管ＵＰのいずれか一方からの排水を優先させることができるので、豪雨等による多量の雨水を排出する際の流量予測を可能としている。
【００４８】
また、通気部材５の上端位置は適当な高さに設置することが好ましい。すなわち、図５において示しているように、通気部材５の上部開口部（チーズ５４による開口部）５５，５６の高さを下水道管ＵＰの開口位置よりも高く設けることにより、下水道管ＵＰに流入する程度の雨水が街渠ますＸに流入したとしても、排水フィルタＦおよび浸透管ＷＰの内部の空気を外部に排出させることができるのである。
【００４９】
なお、一般的には、管内の空気が全て管外に排出されれば、空気抜きは不要となるが、本実施形態は、浸透管ＷＰにおいて、雨水を地中に浸透させることを予定していることから、その地中への浸透の際に、地中に含まれる空気が管内に侵入する可能性もあるため、下水道管ＵＰの開口から十分な高さＨ３をもって開口させている。
【００５０】
他方、上述のような使用形態において、街渠ますＸの土砂だまりに土砂が流入する場合には、これらの土砂が浸透管ＷＰおよび下水道管ＵＰのいずれからも排出されないこととなり、その結果として、排水フィルタＦの周辺に土砂が堆積することとなる。その状態を図６に示す。
【００５１】
この図に示すように、堆積土砂ＴＲは、土砂だまりに堆積しているが、土砂だまりには、排水されない雨水も停滞している。そして、一般的な街渠ますに停滞する雨水は、さらに雨水が流入して水位が上昇しない限り、外部に排水されることはなく、降雨がない期間中の蒸発により水量が減少していた。これに対し、本実施形態では、排水フィルタＦの本体部１に浸透孔群４０が穿設されていることから、土砂だまりに堆積する土砂ＴＲに浸透した雨水を徐々に浸透管ＷＰに排出することができるのである。
【００５２】
つまり、一度に多量の雨水を排出することはできないものの、土砂とともに停滞する雨水は、石や砂などの粒間を通過して街渠ますＸの底部に溜まることとなるから、この街渠ますＸの底部付近において、開口する浸透孔群４０に到達した雨水が当該浸透孔群４０を通過して、浸透管ＷＰに流入するのである。当然のことながら、浸透孔群４０は、土砂が通過できるような大きさでは開口しておらず、石や砂の粒間を通過した雨水のみが排出されるのである。この排出時には、内部のフィルタ材２を経由することとなるから、異物が排水に混入することを回避することができるのである。
【００５３】
上記のような土砂だまりの停滞水の排出は、豪雨の後の残余水についてのみならず、にわか雨などの少量の降雨によって、少量の雨水が街渠ますＸに流入する場合も同様である。すなわち、土砂だまりに堆積している土砂ＴＲが乾燥している状態であっても、降雨により少量の雨水が街渠ますＸに流入した場合、当該雨水が、土砂だまりの堆積土砂ＴＲを湿潤させ程度を超えて流入するとき、堆積土砂ＴＲの石や砂の粒間を通過して街渠ますＸの底面に移動することとなるから、このように移動した雨水は、はやり排水フィルタＦの本体部１に設けられる浸透孔群４０から排出されることとなるのである。
【００５４】
なお、上記浸透管ＷＰは、街渠ますＸの下方において、雨水が通過できる程度の孔（図示せず）が設けられ、その周辺を粒径の大きい埋め戻し砂Ｓは配置され、浸透管ＷＰに流入した雨水を地中に浸透させるように構成されている。特に雨水委浸透管の下端付近では、多量の雨水を地中に浸透させるための構成がなされている。この浸透管ＷＰの構成は本発明には直接的な関連がないので説明は割愛する。
【００５５】
本実施形態は上記のとおりであるから、街渠ますＸに流入した雨水を浸透管ＷＰに排出する際、排水フィルタＦによって当該雨水を濾過させることができるものである。また、街渠ますＸの内部にトラップを形成して土砂だまりを構成することができる。これらの効果を有するうえに、土砂だまりに停滞する雨水を徐々に浸透管ＷＰに排出することができる。従って、街渠ますＸに長期間雨水が停滞することがなく、蚊等の発生源となることを抑制することができるものである。
【００５６】
なお、上記実施形態は、本発明の一例であって、このような構成に限定されるものではない。従って、種々の態様とすることができるものである。その一例として、上記実施形態においては、フィルタ支持部３が天板部３１と底部３２とで構成され、この中間にフィルタ材２を支持する構成のみについて説明したが、本体部１の下部（浸透管連結部）１１と胴部１２の境界部分をテーパ状とすることによって、このテーパ部によってフィルタ材２を支持させる構成としてもよい。この場合、本体部１の構成中にフィルタ支持部が形成されることとなるが、本発明はこのような構成を排除するものではない。そして、このようなフィルタ材２に通気部材５を直接挿通させることにより、フィルタ材２が適度な重量を有することとなるから、本体部から容易に離脱することがない。そして、このような構成の場合には、本体部１の上端は開口端となり、大量の雨水を流入させることも可能となる。
【００５７】
さらに、上記実施形態の浸透孔群４０は、微細な貫通孔４を整列して設けた構成であるが、これに代えて、長孔によって構成してもよい。この場合の長孔は、浸透孔群４０の各貫通孔４が極端に接近して設けられ、その結果として本体部１の軸線方向に連続した状態と考えれば、やはり貫通孔群の一種であるということができる。
【符号の説明】
【００５８】
１  本体部
２  フィルタ材
３  フィルタ支持部
４  浸透孔
５  通気部材
１１  浸透管連結部（本体部の下部）
１２  本体部の胴部
１３  本体部の上端部
２１  フィルタの貫通孔
３１  天板部
３２  底部
Ｆ  排水フィルタ
ＴＲ  堆積土砂
ＵＰ  下水道管
ＷＰ  浸透管
Ｘ  街渠ます
【図１】
2013049998.tif 000003
【図２】
2013049998.tif 000004
【図３】
2013049998.tif 000005
【図４】
2013049998.tif 000006
【図５】
2013049998.tif 000007
【図６】
2013049998.tif 000008
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
街渠ますの底部を開口し、この開口を貫通する浸透管を地中に配設してなる雨水浸透構造体において、
上記浸透管の上端に装着され、側壁の複数個所に浸透孔が穿設された筒状の本体部と、この本体部の内部に配置されるフィルタ材と、このフィルタ材を支持しつつ上記本体部に着脱可能に設けられるフィルタ支持部と、上記フィルタ材を貫通する通気部材とを備え、
上記フィルタ支持部は、通水可能な底部および天板部を備え、該底部および該天板部の中間に上記フィルタ材を保持するフィルタ支持部であり、
上記通気部材は、上記底部および天板部を連結しつつ上記フィルタ材を貫通する通気部材であることを特徴とする雨水浸透管用排水フィルタ。
【請求項２】
前記本体部は、所定の長さ寸法を有し、前記浸透管の上端縁から延出するように装着される本体部であることを特徴とする請求項１に記載の雨水浸透管用排水フィルタ。
【請求項３】
前記本体部は、下部に浸透管連結部を有し、上部に天板部保持部を有する本体部である請求項１または２に記載の雨水浸透管用排水フィルタ。
【請求項４】
下水管が接続される街渠ますの底部を開口し、この開口を貫通する浸透管を地中に配設してなる雨水浸透構造体において、
上記浸透管の上端に装着され、側壁の複数個所に浸透孔が穿設された筒状の本体部と、この本体部の内部に配置されるフィルタ材と、このフィルタ材を支持しつつ上記本体部に着脱可能に設けられるフィルタ支持部と、上記フィルタ材を貫通しつつフィルタ支持部によって支持される通気部材とを備え、
上記フィルタ支持部は、通水可能な底部および天板部を備え、該底部および該天板部の中間に上記フィルタ材を保持するフィルタ支持部であり、
上記通気部材は、上記底部から突出する下部突出領域と、上記天板部から突出する上部突出領域と、上記フィルタ材を貫通しつつ上記底部および上記天板部を連結する中間領域とに区分されてなる通気部材であることを特徴とする雨水浸透管用排水フィルタ。
【請求項５】
前記通気部材は、前記上部突出領域の上端が前記街渠ますに接続される下水管の開口部よりも上位となる長さで構成されている通気部材であることを特徴とする請求項４に記載の雨水浸透管用排水フィルタ。
【請求項６】
前記天板部は、前記浸透孔よりも大径の浸透用貫通孔が複数穿設されている天板部であることを特徴とする請求項１ないし５のいずれかに記載の雨水浸透管用排水フィルタ。
【手続補正２】
【補正対象書類名】明細書
【補正対象項目名】０００９
【補正方法】変更
【補正の内容】
【０００９】
そこで、本発明は、街渠ますの底部を開口し、この開口を貫通する浸透管を地中に配設してなる雨水浸透構造体において、上記浸透管の上端に装着され、側壁の複数個所に浸透孔が穿設された筒状の本体部と、この本体部の内部に配置されるフィルタ材と、このフィルタ材を支持しつつ上記本体部に着脱可能に設けられるフィルタ支持部と、上記フィルタ材を貫通する通気部材とを備え、上記フィルタ支持部は、通水可能な底部および天板部を備え、該底部および該天板部の中間に上記フィルタ材を保持するフィルタ支持部であり、上記通気部材は、上記底部および天板部を連結しつつ上記フィルタ材を貫通する通気部材であることを特徴とするものである。
【手続補正３】
【補正対象書類名】明細書
【補正対象項目名】００１０
【補正方法】変更
【補正の内容】
【００１０】
上記構成によれば、街渠ますに流入した雨水は、浸透管に接続される本体部の上端を超える水位となるとき、本体部の上部開口部から本体部の内部に流入し、フィルタ材を経由して浸透管により排水されることとなる。このとき、本体部の上部開口部から大量の雨水が流入することとなるが、フィルタ材を貫通する通気部材によって、フィルタ材よりも下方の空気を上方に排出することが可能となる。特に、集中豪雨による排水時においては、本体部を流下する雨水の量が多く、フィルタ材を大量の雨水が通過する際、フィルタ材よりも下方の空気の逃げ場がなくなり、結果的に、大量の雨水が浸透管に流下できない可能性もあったが、フィルタ材よりも下位の空気が通気部材を経由して上方に排出できれば、浸透管への流下を円滑にすることができる。また、街渠ますに流入した雨水の水位が本体部の上端よりも下位である場合には、本体部の側壁の浸透孔からフィルタ材を経由して浸透管に雨水を流入させることができる。従って、本体部が浸透管に接続されることによって、街渠ますの底部にトラップ構造を形成して土砂だまりを設けることができるとともに、この土砂だまりに堆積する土砂に浸透する雨水を本体部から浸透管に排出させることができる。さらに、フィルタ支持部によって支持されるフィルタ材は、底部と天板部の中間に保持されることから、フィルタ支持部のうち底部または天板部を取り外すことによってフィルタ材の着脱を可能にすることができる。また、通気部材は底部と天板部とを連結するように設けられていることから、通気部材がフィルタ支持部の支柱としての機能を有する構成となり、これらを一体として本体部に装着することができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】